(57)【要約】      （修正有）【課題】固化材と粘性度の混合にバラツキが生じ目的強度の低下と固化材の産業廃棄物化への無駄を無くし、材料費、処理費の削減をすること。【解決手段】改良対象地盤に合う微妙な微振動と水分を加えて、ヘドロ化又は液状化状態にしつつ、改良対象土に対する固化材の配合量を改良対象土底部から注入し、配合量分だけ、ヘドロ又は液状化状態の泥水化した泥土砂を改良対象土上部から比重差の利用により自然に排出させ、所定量の注入を完了した後で低圧の圧縮空気を改良対象土、底部から吹き出して、ヘドロ化又は液状化状態の土砂と圧縮空気と注入材を混入させる手段にて改良を行う工法である、又一方比重差により排出された泥土、砂は泥水ポンプにより泥水タンクに移送され、タンク内泥水ポンプにより篩い分け振動装置に汲み揚げ、泥水と土を分離し水はそのまま使用もしくは沈下降下材の投入等を使用して再度使用する。土、砂は一般土として処分する。【選択図】図１
2006104912.tif 000002
【特許請求の範囲】
【請求項１】
粘性系、砂質系地盤に微振動と水を加えることにて、各々地盤土粒子構造配列組合せに、分解を生じさせ、流動化又は液状化状態にして固化材を所定量注入し、均一化した地盤改良をする工法及びその機械構造装置。
【請求項２】
改良対象土を一定の円形又は多角形断面積をもつ外管内に内管ロットを包含した構造とし、これらの管上部には貫入力となる、振動機を連結した構造で、外管は三点式杭打機のポストリ−ダ−沿いに上下出来るよう取り付けた構造として、内管ロットは、外管内側を上下出来る様に内側にリ−ダ−用溝を取り付け又一方内管ロットにはその溝をスライド出来、尚且外管との間を一定間隔を保つ役割の支保工に硬質ゴムの車を付けた支えを、複数個所取り付けた構造として、外管と内管が上下出来る構造
【請求項３】
貫入力となる振動機下部には外管と内管ロットを組合せ、取り付けた構造とし、外管及び内管ロットを改良対象地盤に挿入するときは内管ロットの上部が外管上部を包み込む蓋状の自由に取り外しの出来る構造とし、一緒に対象地盤に挿入出来、挿入後外管は対象地盤中に置き、内管は振動機と一緒に同時に上下スライド出来る構造とする、外管及び内管ロットは、各々挿入用のジェットパイプを複数本取り付けて、外管、内管ロット挿入ジェット水圧又はエア−ジェット圧は外管、内管ロットそれぞれ管上部から耐圧ホ−スにて連結したポンプシステムバルブを切り替え調整することにより、圧力を変化できる構造として、外管と内管ロットの挿入圧力を変えて、挿入出来る装置構造で尚固化材ミルク注入時は注入システムのバルブの開閉により同じパイプラインで施工が出来るシステムとした構造である。
【請求項４】
改良対象地盤に２０ｃｍから１．５ｍ径及び対角辺長を持つ断面積の外管を振動併用エア−、ジェット水にて挿入しつつ、外管の内側にある、内管ロットは上部にある貫入用、振動機の起振力の調整により微振動を内管ロットに伝え、ジェット併用しつつ外管と共に改良対象地盤に挿入し、改良対象地盤を、ヘドロ化、液状化状態にして、固化材を注入し固化させ地盤改良を施工する工法。
【請求項５】
内管ロット径は１０ｃｍから３０ｃｍで、内管先端部は薄板羽根及び針状構造で、巾及び径は外管の径及び対角辺長により変化させる、最先端は改良対象土を切り砕くことの出来るギザギザの刃型としギザギザ上部にはリング状刃を取り付けた構造又は針状構造で微振動の伝播のし易い形状とし、リングは帯薄板の小幅で硬質材を使用し複数本の籠状とした構造、又針状構造体は径が１．５ｃｍから７ｃｍ範囲とし、その長さは３０ｃｍから１５０ｃｍの範囲とする、
【請求項６】
内管ロット外側又は内側には注入固化材、ミルク噴出用パイプを複数本取付り付ける場合と、ロット自体の先端から噴出する場合と、ロット羽根先端又は針状構造体の先端ノズルから噴出させる構造とし、ロット上部は耐圧ホ−スで注入システムに連結した構造装置。
【請求項７】
先端ノズルは位置、角度、流量、形状により自由に変化出来る部品の採用にて確実な目的に合うブロ−ガ出来、流量の調整が出来る形状構造。
【請求項８】
外管外周の取り付けパイプのノズル１本当たりの外周負担面積を均一にカバ−出来る拡散状方向性を持たせたノズル構造、又内管ロット先端リング周辺からは中心部へ向う方向性ジェット水の噴出、出来るノズル構造としてある、
【請求項９】
改良対象土最下部迄、外管及び内管ロット挿入完了時、外管内のヘドロ化、液状化状態の未改良土砂の底部から所定配合量の固化材ミルクを注入する、注入時外管内のヘドロ状未改良土砂は外管上部に押し出され溢れ出る、それらを泥水ポンプで泥水タンクに移送し、タンク内の泥水ポンプにて振動篩い分け機を通じ水と泥を分離処分することにより産業廃棄物の発生を零化に抑えることの出来る工法特許である。
【請求項１０】
配合所定量の注入完了後、注入ポンプシステムのバルブ切り替えにより低圧エア−を噴出させ、エア−ブロ−させるとにて、外管内のヘドロもしくは液状化状態の土砂と固化材ミルクを混合することにより、対象改良土の強度変化並びに含水状態に関係無く、均一化した地盤改良をする工法。
【発明の詳細な説明】
【技術分野】
【０００１】土性に関係無く均一化した改良と固化材による、産廃を無くす地盤改良技術分野である。
【背景技術】
【０００２】粘性系、砂質系、改良工法として攪拌羽による深層混合工法及び高圧噴射攪拌工法、高圧噴射工法があるが、いずれも固化材による産業廃棄物を発生する工法で不経済であり、又土性、含水等の条件による強度変化に差が生じた。
【発明の開示】
【発明が解決しようとする課題】
【０００３】粘性が強く、含水が少ない攪拌対象土は攪拌羽根の形状、角度攪拌羽根の長短等の変化を試みたが、固化材も混合されず、団子状態で安定改良が出来ない状態に度々遭遇し、しかも時間的ロスがあり、尚且、固化材による産業廃棄物の発生が生じ、処分費、材料費の無駄が大きく課題であった。
【課題を解決するための手段】
【０００４】粘性系地盤改良の場合、本工法は強度を零化した上で固化材を混合することにより課題である混合状態の改善を計り、又砂質系地盤は液状化状態にして固化材を粒子間に介入させつつ、固化する工法である。固化材、固化ミルクは、各土質により配合を決定し、所定量を改良対象土底部より注入し、所定配合量分だけ、改良対象攪拌土を押し出し、そのあと低圧エア−ブロ−する事により均一化した改良の計れる工法で、押し出された、ヘドロ状又は液状化状態の流動土粒子は泥水ポンプにて、泥水タンクに移送し、タンク内の泥水ポンプにて振動、篩い分け機にくみ上げ水と土砂粒子を分離して水は再び使用し、土砂粒子は一般土砂として処分する事により、産業廃棄物を出さず均一化した改良の出来る形態を取った【０００５】外管と内管ロットにジェット水及びエア−ジェット水と微振動を加えつつ対象地盤に挿入し、引き抜き時、固化材を所定量注入し、低圧エア−ブロ−にて、混合を均一化し、固化材による産業廃棄物も零化出来、コア−ボ−リングによる試料採取の試験結果も良好であった。
【発明の課題】
【０００６】改良対象土の土性に応じ挿入時、外管の水量と内管の水量、微振動の与えかた等を考慮した施工方法の開発が必要である
【産業上の利用可能性】
【０００７】上述したように本発明はどんな土性でも均一化した強度の固化改良が出来るので利用可能性は大きい。【０００８】固化工法は巾広く採用されているだけに、攪拌工法、高圧噴射工等で見られる、無駄な固化材使用による固化材、材料費と産業廃棄物処理費を省く事により経済性があるので利用可能性は高い。
【図面の簡単な説明】
【０００９】
【図１】外管、内管ロットと上部振動機を取り付け、内管ロット先端は羽板を複数本取り付けた断面図である。
【符号の説明】
【００１０】１  振動機
２  内管ロット
３  ジェット水及びエア−、固化材を送るパイプ
４  振動伝播羽根板
５  外管
６  外管挿入時のジェット管
７  内管ロット先端
８  内管ロット板状構造部及び針状構造部
【図１】
2006104912.tif 000003